(57)【特許請求の範囲】
【請求項１】
商用電源を電力供給元とする主電源部及び商用電源以外からの電源も電力供給元とすることができる副電源部を備え、電力消費対象に電力を供給する電力供給手段と、
前記商用電源を前記主電源部に供給する電力供給線を物理的に導通又は遮断するように切り替える切替手段と、
前記商用電源から導通状態の前記電力供給線を介した電力供給を遮断するときに操作される操作手段と、
前記操作手段の操作時から予め定めたオフ時間が経過した場合に前記電力供給線を遮断し、当該遮断後に予め定めた遮断終了のためのオン時間となった場合に前記電力供給線を導通するように前記切替手段を制御すると共に、前記副電源部からの電力を受けるモードへ移行させる制御手段と、
を有する電力供給制御装置。
【請求項２】
前記電力消費対象が、特定の処理を実行するデバイスと、当該デバイスを制御するコントローラとを含み、前記操作手段で電力供給遮断指示がなされると、前記副電源部から前記コントローラの一部への電力供給を維持する請求項１記載の電力供給制御装置。
【請求項３】
前記副電源部の電力源が、蓄電デバイスである請求項１又は請求項２記載の電力供給制御装置。
【請求項４】
前記蓄電デバイスは、ソーラー発電によって発電する電力を蓄積する請求項３記載の電力供給制御装置。
【請求項５】
前記電力供給線上において、前記商用電源を前記主電源部に引き込む電力供給線を手動操作で物理的に導通又は遮断する主電源スイッチをさらに有する請求項１〜請求項４の何れか１項記載の電力供給制御装置。
【請求項６】
前記請求項１〜請求項５の何れか１項記載の電力供給制御装置と、
特定の処理を実行するデバイスとして、原稿画像を読み取るための画像読取部、前記画像読取部で読み取った原稿画像の情報に基づいて記録用紙へ複写する画像複写処理部、並びに情報通信処理部の少なくとも１つを備えた画像処理装置。
【発明の詳細な説明】
【技術分野】
【０００１】
本発明は、電力供給制御装置、画像処理装置に関する。
【背景技術】
【０００２】
画像処理装置では、複数の電力状態に遷移することで、利便性を維持しつつ必要最小限の電力消費によって省エネ性を両立している。また、商用電源に加え、充電池等の蓄電デバイスを搭載した画像処理装置が提案されている。
【０００３】
特許文献１には、画像形成装置が充電池の残容量を検知する検知手段を備え、この検知手段により充電池の残容量が少なくなったことが検知された場合、充電池の使用を中止し、電源ユニットの電源装置から各部分に電力を供給するように切り替えることが記載され、充電池の容量不足により画像形成装置の動作が止まることを防止する。
【先行技術文献】
【特許文献】
【０００４】
【特許文献１】特開２００２−０４４３０５号公報
【発明の概要】
【発明が解決しようとする課題】
【０００５】
本発明は、本構成を有しない場合に比べて、省エネモード中の消費電力を抑制しつつ、かつ省エネモードからの復帰時間を短縮することができる電力供給制御装置、画像処理装置を得ることが目的である。
【課題を解決するための手段】
【０００６】
請求項１に記載の発明は、商用電源を電力供給元とする主電源部及び商用電源以外からの電源も電力供給元とすることができる副電源部を備え、電力消費対象に電力を供給する電力供給手段と、前記商用電源を前記主電源部に供給する電力供給線を物理的に導通又は遮断するように切り替える切替手段と、前記商用電源から導通状態の前記電力供給線を介した電力供給を遮断するときに操作される操作手段と、前記操作手段の操作時から予め定めたオフ時間が経過した場合に前記電力供給線を遮断し、当該遮断後に予め定めた遮断終了のためのオン時間となった場合に前記電力供給線を導通するように前記切替手段を制御すると共に、前記副電源部からの電力を受けるモードへ移行させる制御手段と、
を有している。
【０００７】
請求項２に記載の発明は、前記請求項１に記載の発明において、前記電力消費対象が、特定の処理を実行するデバイスと、当該デバイスを制御するコントローラとを含み、前記操作手段で電力供給遮断指示がなされると、前記副電源部から前記コントローラの一部への電力供給を維持する。
【０００８】
請求項３に記載の発明は、前記請求項１又は請求項２に記載の発明において、前記副電源部の電力源が、蓄電デバイスである。
【０００９】
請求項４に記載の発明は、前記請求項３に記載の発明において、前記蓄電デバイスは、ソーラー発電によって発電する電力を蓄積する。
【００１０】
請求項５に記載の発明は、前記請求項１〜請求項４の何れか１項記載の発明において、前記電力供給線上において、前記商用電源を前記主電源部に引き込む電力供給線を手動操作で物理的に導通又は遮断する主電源スイッチをさらに有する。
【００１１】
請求項６に記載の発明は、前記請求項１〜請求項５の何れか１項記載の電力供給制御装置と、特定の処理を実行するデバイスとして、原稿画像を読み取るための画像読取部、前記画像読取部で読み取った原稿画像の情報に基づいて記録用紙へ複写する画像複写処理部、並びに情報通信処理部の少なくとも１つを備えた画像処理装置である。
【発明の効果】
【００１２】
請求項１に記載の発明によれば、本構成を有しない場合に比べて、省エネモード中の消費電力を抑制しつつ、かつ省エネモードからの復帰時間を短縮することができる。
【００１３】
請求項２に記載の発明によれば、副電源部の消費電力を必要最小限とすることができる。
【００１４】
請求項３に記載の発明によれば、商用電源の代替として適用することができる。
【００１５】
請求項４に記載の発明によれば、自身で発電が可能となる。
【００１６】
請求項５に記載の発明によれば、手動操作で主電源部を分断することができる。
【００１７】
請求項６に記載の発明によれば、本構成を有しない場合に比べて、省エネモード中の消費電力を抑制しつつ、かつ省エネモードからの復帰時間を短縮することができる。
【図面の簡単な説明】
【００１８】
【図１】本実施の形態に係る画像処理装置の概略図である。
【図２】本実施の形態に係る画像処理装置の電源供給系及び制御系の構成を示すブロック図である。
【図３】本実施の形態に係るメインコントローラにおける、省エネモード期間中に動作するブロック図である。
【図４】実施の形態に係るメインコントローラのＡＳＩＣにおいて、副電源スイッチの操作状態を監視し、省エネモード中の電力供給状態を制御する省エネ電力制御ルーチンを示すフローチャートである。
【図５】実施の形態に係る省エネモード中の電力供給状態を制御する省エネ電力制御による動作の一例を示すタイミングチャートである。
【図６】変形例に係る画像処理装置の斜視図である。
【発明を実施するための形態】
【００１９】
図１には、本実施の形態に係る画像処理装置１０が示されている。
【００２０】
画像処理装置１０は、記録用紙に画像を形成する画像形成部１２と、原稿画像を読み取る画像読取部１４と、ファクシミリ通信制御回路１６を含む処理機器（以下、「デバイス」という場合がある）を備えている。画像形成装置１２と、その他のデバイス（画像読取部１４、ファクシミリ通信制御回路１６）との間には、画像形成部１２で画像記録された記録用紙が排出される記録用紙排出トレイ１０Ｔが形成されている。
【００２１】
画像処理装置１０は、メインコントローラ１８を備えており、画像形成部１２、画像読取部１４、ファクシミリ通信制御回路１６を制御して、例えば、画像読取部１４で読み取った原稿画像の画像データを一時的に記憶したり、読み取った画像データを画像形成部１２又はファクシミリ通信制御回路１６へ送出したりする。
【００２２】
メインコントローラ１８にはインターネット等のネットワーク通信回線網２０が接続され、また、ファクシミリ通信制御回路１６には電話回線網２２が接続されている。メインコントローラ１８は、例えば、ネットワーク通信回線網２０を介してＰＣ２９（図２参照）と接続され、画像データを受信したり、ファクシミリ通信制御回路１６を介して電話回線網２２を用いてファクシミリ受信及びファクシミリ送信を実行する役目を有している。
【００２３】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２４】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２５】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。本実施の形態の画像処理装置１０では、主電源スイッチ４１のオンオフ操作によって、商用電源を供給するようになっている。主電源スイッチ４１は、例えば、所謂シーソー型のスイッチであり、ユーザー（人）が操作することで、シーソー型の操作部が物理的に動作して、オン状態とオフ状態とに切替えられるようになっている。従って、主電源スイッチ４１は、視覚的にも、オン・オフ状態が認識可能となっている。
【００２６】
主電源スイッチ４１は、画像処理装置１０の前面にパネル部１０Ｐを開放（下辺を中心とした回転動作）することで、露出する内部部品の一部として設けられている。
【００２７】
また、本実施の形態では、主電源スイッチ４１とは別に、副電源スイッチ４４が設けられている。副電源スイッチ４４がオフされると、メインコントローラ１８の機能をダウンさせる。従って、副電源スイッチ４４がオンされたとき、メインコントローラ１８は、プログラム展開が必須となる。この点において、副電源スイッチ４４がオン状態で移行するスリープモードとは異なる。
【００２８】
ここで、本実施の形態の画像処理装置では、副電源スイッチ４４のオフ状態として、メインコントローラ１８の一部にのみ商用電源３１に代わる副電源部（後述する蓄電デバイス９６）から電力を供給するスリープゼロモード、さらに、商用電源３１の配線を物理的に遮断するオフモードを備えており、画像処理装置１０の状況に応じて、適宜モードを移行するように制御している。なお、モード移行については、後述する。
【００２９】
副電源スイッチ４４は、例えば、所謂ソフトスイッチであり、記録用紙排出トレイ１０Ｔの一部に設けられ、自動復帰する押しボタンスイッチで構成されている。すなわち、副電源スイッチ４４を押圧している間は内部の電気接点が接触し、押圧を解除すると電気的接点が非接触となる。メインコントローラ１８では、副電源スイッチ４４の電気的接点を監視し、当該電気的接点が接触する毎に（すなわち、副電源スイッチ４４を操作する毎に）、デバイスの動作モードを変更する指示信号の入力と判断する。なお、副電源スイッチ４４は、主電源部４１のように接点が機械的に切り替わり、保持されるものであってもよい。
【００３０】
（画像処理装置の制御系）
図２は、画像処理装置１０の制御系のハード構成の概略図である。
【００３１】
ネットワーク通信回線網２０は、前記画像処理装置１０のメインコントローラ１８に接続されている。なお、ネットワーク通信回路網２０には、画像データを送信元等になり得るＰＣ（端末装置）２９が接続されている。
【００３２】
メインコントローラ１８には、それぞれ、データバスやコントロールバス等のバス３３Ａ〜３３Ｅを介して、ファクシミリ通信制御回路１６、画像読取部１４、画像形成部１２、ＵＩタッチパネル４０、ＩＣカードリーダーライター５８が接続されている。すなわち、このメインコントローラ１８が主体となって、画像処理装置１０の各処理部が制御されるようになっている。なお、ＵＩタッチパネル４０には、ＵＩタッチパネル用バックライト部４０ＢＬが取り付けられている。
【００３３】
また、画像処理装置１０は、電源装置４２を備えており、メインコントローラ１８とは信号ハーネス４３で接続されている。
【００３４】
電源装置４２は、商用電源３１から入力電源線２４を介して電力の供給を受けている。入力電源線２４には、主電源スイッチ４１が介在されている。
【００３５】
電源装置４２では、メインコントローラ１８へＬＶＰＳ４２Ａ（図３参照）を介して電力を供給すると共に（図２の点線で示す電力供給線３５Ｍ参照）、その他のデバイスである、ファクシミリ通信制御回路１６、画像読取部１４、画像形成部１２、ＵＩタッチパネル４０、ＩＣカードリーダーライター５８のそれぞれに対して独立して電力を供給する電力供給線３５Ａ〜３５Ｅが設けられている。このため、メインコントローラ１８では、各デバイスに対して、個別に電力供給、或いは電力遮断し、所謂部分節電制御を可能としている。
【００３６】
主電源スイッチ４１は、前述したようにパネル部１０Ｐ（図１参照）を開放することで操作可能とされ、画像処理装置１０へ商用電力を供給するか否かの末端の手動操作型のスイッチ（例えば、シーソー型スイッチ）であり、ユーザーの操作によって、オン又はオフに切り替えが可能となっている。
【００３７】
この主電源スイッチ４１がオンされることで、画像処理装置１０のコントローラ２８に電力が供給され、必要最小限の起動動作（初期動作）が実行されるようになっている。必要最小限の起動動作は、例えば、ネットワーク通信回線網２０との通信、ファクシミリ受信のための電話回線網との通信が挙げられる。この状態の動作モードを「省エネモード」という。
【００３８】
一方、メインコントローラ１８には、副電源スイッチ４４が設けられている。この副電源スイッチ４４がオンすることで、商用電源３１からの電力が、適宜、画像読取装置１４、画像形成装置１２、並びにファクシミリ通信制御回路１６等の各種デバイスへ供給され、稼働可能となる（通常モード）。
【００３９】
ここで、副電源スイッチ４４がオフされると、メインコントローラ１８の機能（プログラム）が停止され、次の起動の際には、プログラム展開が必須となる状態となる。本実施の形態では、この副電源スイッチ４４のオフにおいて、電力消費量の相対差に応じて、スリープゼロモード、オフモードが設定される。
【００４０】
スリープゼロモードは、商用電源３１からメインコントローラ１８及びデバイスへの電力供給を遮断するが、電源装置４２には商用電源３１の電力が供給されている状態である。なお、商用電源３１に代えて、副電源部（後述する蓄電デバイス９６）から電力供給を受けたメインコントローラ１８の一部を動作可能としてもよい。
【００４１】
オフモードでは、メインコントローラ１８に対しても、基本的に電力供給を遮断するオフモードを設定している。「基本的に電力供給を遮断」とは、商用電源３１（電源装置４２）からの電力を一切受けないことを意味する。より具体的には、入力電源線２４を物理てきに分断する。
【００４２】
本実施の形態では、オフモードとする時期として、夜間において、画像処理装置１０を一切使用しない時期とし、オフモード開始のためのオフタイマと、オフモード終了のためのオンタイマ（独立した電力を保持）とによってモード移行が制御されるようになっている（詳細後述）。なお、オフモードは、夜間に限定されるものではなく、画像処理装置１０を使用しない時間帯を選択すればよい。
【００４３】
本実施の形態では、前記スリープゼロモードの期間中に、メインコントローラ１８へ電力を供給するための副電源部として、太陽光発電を利用した電源システムが適用されている。
【００４４】
すなわち、図２に示される如く、画像処理装置１０には、ソーラーパネル９２が設置されている。ソーラーパネル９２は、例えば、上部筐体１０Ａや下部筐体１０Ｂ（図１参照）の表面の全部又は一部に貼り付けてもよいし、画像処理装置１０から離して配置するようにしてもよい。
【００４５】
ソーラーパネル９２は、専用配線９４を介して蓄電デバイス９６に接続されている。蓄電デバイス９６に充電されている電力は、電力供給線９８を介してメインコントローラ１８に送出可能となっている。
【００４６】
メインコントローラ１８には、電源切替部１８Ａとサブコントローラ（ＡＳＩＣ）１８Ｓが設けられている。電源切替部１８Ａでは、電力供給元（商用電源３１又は蓄電デバイス９６）を、切り替える。
【００４７】
ＡＳＩＣ１８Ｓは、メインコントローラ１８の一部の機能を持ち、副電源スイッチ４４がオンされているときの節電状態では、例えば、節電解除キーの操作状態の監視を実行する。また、ＡＳＩＣ１８Ｓは、メインコントローラ１８の電源投入時のプログラム展開処理を実行する役目を有している。
【００４８】
図３は、メインコントローラ１８における、省エネモード期間中に動作するブロック図であり、スリープゼロモードからオフモードへの移行、並びにオフモードからスリープゼロモードへの移行をタイマ管理制御によって実現するための制御に必要な機能ブロック図である。
【００４９】
図３に示される如く、メインコントローラ１８は、ＣＰＵ１００、メモリ（ＲＡＭ）１０２、ＲＯＭ１０４、ＡＳＩＣ１８Ｓ並びにこれらを接続するバス１０６（図３の太線実線参照）を備えている。なお、図３において、前記したバス１０６を示す太線実線とは別に記した、細線実線は電力供給線を示し、点線は信号線を示す。また、本実施の形態では、ＣＰＵ１００と後述する周辺機能部品とを接続するためのＩ／ＯやＩ／Ｆは省略した。
【００５０】
ＣＰＵ１００には、副電源スイッチ４４、オフタイマ１１０、オンタイマ１１２が接続されている。オフタイマ１１０は、第１のスイッチ１１４及び電源駆動回路１１６に接続されている。オフタイマ１１０はタイムアップすると、第１のスイッチ１１４の接点を第１の接点（１）から第２の接点（２）に切り替えると共に、電源駆動回路１１６に主電源リレースイッチ１１８をオフ状態とするための指示信号を出力する。
【００５１】
また、オンタイマ１１２は、第１のスイッチ１１４のコモン端子（０）に接続されている。オンタイマ１１２がタイムアップすると、ＣＰＵ１００を起動させる指示がなされる。
【００５２】
電源駆動回路１１６は、電源切替部１８Ａに接続され、当該電源切替部１８Ａの切り替えを制御する。電源切替部１８Ａの第１の接点（１）には、蓄電デバイス９６の電力供給線が接続され、第２の接点（２）には、電源装置４１のＬＶＰＳ４２Ａが接続されている。さらに、電源切替部１８Ａのコモン端子（０）は、メインコントローラ１８へ電力を供給する電力供給線に接続されている。
【００５３】
前記第１のスイッチ１１４は、第１の接点（１）側に切り替えられている場合は作用しないが、第２の接点（２）側に切り替えられている場合は、オンタイマ１１２がタイムアップしたときに、電源駆動回路１１６に主電源リレースイッチ１１８をオン状態とするための指示信号を出力する。
【００５４】
すなわち、オンタイマ１１２は、タイムアップすると、前記オフタイマ１１０により電源駆動回路１１６に対して主電源リレースイッチ１１８をオフ状態とする指示されているにも関わらず、電源駆動回路１１６に対して主電源リレースイッチ１１８をオン状態とする指示（割り込み指示）がなされる。
【００５５】
前記電源切替部１８Ａは、メインコントローラ１８の電力供給元を切り替える役目を有しており、第１の接点（１）に切り替わっている状態では蓄電デバイス９６が電力供給元とされ、第２の設定（２）に切り替わっている状態では電源装置４２（ＬＶＰＳ４２Ａ）が電力供給元とされる。
【００５６】
電源装置４２の上流側に設けられた主電源スイッチ４１のさらに上流側には、遠隔操作される入力電源線２４を物理的に遮断する主電源リレースイッチ１１８が介在されている。主電源リレースイッチ１１８は、前記電源駆動回路１１６によって、オン・オフが制御される。この主電源リレースイッチ１１８のオン状態のときが、前記スリープゼロモードであり、オフ状態のときが前記オフモードである。
【００５７】
前記オフタイマ１１０は、メインコントローラ１８がスタンバイモード（副電源スイッチ４４のオン）からスリープゼロモード（副電源スイッチ４４のオフ）に移行した時点でリセット・スタートして、スリープゼロモードからオフモードへ移行するまでの時間を計時する。
【００５８】
従って、オフタイマ１１０がタイムアップすると、オフタイマ１１０は第１のスイッチ１１４を第２の接点（２）に切り替え、電源駆動回路１１６へ主電源リレースイッチ１１８をオフにする指示信号を出力する。このとき、電源駆動回路１１６は、電源切替部１８Ａを第１の接点（１）に切り替える制御を行い、スリープゼロモードからオフモードへ移行させる。
【００５９】
前記オンタイマ１１２は、メインコントローラ１８がスタンバイモードからスリープゼロモードに移行した時点でリセット・スタートして、さらに前記オフモードへ移行された状態で、当該オフモードからスリープゼロモードへ移行する時刻を監視する。
【００６０】
オンタイマ１１２は、独自の電源１２０（乾電池、水銀電池、ソーラパネル等）を備えており、電源装置４２及び蓄電デバイス９６から電力が供給されなくても、所謂時計として動作する。このため、オンタイマ１１２は、ユーザー等が予め設定した起動時刻（例えば、「午前６時００分）等の指定した時刻）になると、タイムアップとなり、ＣＰＵ１００を起動し、電源駆動回路１１６に対して、主電源リレースイッチ１１８をオンする割込み信号を出力する。電源駆動回路１１６は当該割込み信号に基づいて主電源リレースイッチ１１８をオンにすることで、オフモードからスリープゼロモードへ移行させる。
【００６１】
以下、本実施の形態の作用を説明する。
【００６２】
画像処理装置１０が、例えば、スタンバイモード等の通常モードのとき、副電源スイッチ４４が操作されると、商用電源３１からの電力供給が遮断され、スリープゼロモードとなる。この場合、商用電源３１は、電源装置４２に対して入力電源線２４を介して物理的に接続されており、電源装置４２内において、電圧変換処理等が実行され、電力が消費されている。
【００６３】
ここで、本実施の形態では、スリープゼロモードの他、ユーザーの設定期間（例えば、夜間等、ユーザーが画像処理装置１０を一切使用しないような状況の下）、スリープゼロモードよりもさらに電力消費が少ない、オフモードへ移行するようにしている。すなわち、スリープゼロモードであっても、商用電源３１がＬＶＰＳ４２Ａに入力されていると、少なからず電力消費される。そこで、オフモードを設定し、入力電源線２４に、商用電源３１とＬＶＰＳ４２Ａとを物理的に分断する主電源リレースイッチ１１８を介在させて、当該主電源リレースイッチ１１８のオン・オフ制御によって、スリープゼロモード又はオフモードを選択的に切り替えるようにした。
【００６４】
図４は、メインコントローラ１８のＡＳＩＣ４２Ａにおいて、副電源スイッチ４１の操作状態を監視し、省エネモード中の電力供給状態を制御する省エネ電力制御ルーチンを示すフローチャートである。
【００６５】
図５は、省エネモード中の電力供給状態を制御する省エネ電力制御による動作の一例を示すタイミングチャートである。
【００６６】
ステップ２００では、副電源スイッチ４１が操作、すなわちオフされたか否かが判断され、否定判定された場合はこのルーチンは終了し、肯定判定されるとステップ２０２へ移行する。
【００６７】
ステップ２０では、オンタイマ１１２をリセット・スタートさせ、次いでステップ２０４へ移行してオフタイマ１１０をリセット・スタートさせて、ステップ２０６へ移行する。
【００６８】
ステップ２０６では、スリープゼロモードへの移行処理を指示し、ステップ２０８へ移行する。
【００６９】
ステップ２０８では、前記ステップ２０４でリセット・スタートさせたオフタイマ１１０がタイムアップしたか否かが判断され、肯定判定されると、オフモードへの移行時期であると判断し、ステップ２１０へ移行して主電源リレースイッチ１１８をオフする。この結果、入力電源線２４上において、商用電源３１とＬＶＰＳ４２Ａとが物理的に分断される。次のステップ２１４では、オフモード移行処理を指示して、ステップ２１６へ移行する。
【００７０】
この結果、画像処理装置１０は、商用電源３１が完全に分断されてＬＶＰＳ４２Ａにも入力されない状態（オフモード）が構築され、例えば、ＬＶＰＳ４２Ａでの電圧変換等による電力消費が抑制され、スリープゼロモードよりも消費電力を少なくすることが可能となる。
【００７１】
このオフモードでは、外部からの入力（ファクシミリ受信や、ネットワーク通信回線網２０による画像情報受信）を一切受け付けないが、これは、副電源スイッチ４４をオフしたというユーザーの操作が、そもそも、画像処理装置１０の機能を遮断する意図があるためである。
【００７２】
ステップ２１６では、前記ステップ２０２でリセット・スタートさせたオンタイマ１１２がタイムアップしたか否かが判断される。このオンタイマ１１２は、オフモード中での計時する必要があり、独自の電源を搭載しているが、所謂時計としての機能であり、画像処理装置１０が消費する電力に比べて極めて少ない消費電力でよく、乾電池、水銀電池等で１年から２年の長期動作が可能である。また、オンタイマ１１２の電源として、所謂電卓等に適用されるソーラーバッテリを用いてもよい。
【００７３】
前記ステップ２１６で肯定判定されると、例えば、午前６時００分等、ユーザーが設定した起動時刻になったと判断し、ステップ２１８へ移行して、主電源リレースイッチ１１８をオンし、次いで、ステップ２２２へ移行して、プログラム展開処理を実行し、次いで、ステップ２２４へ移行してオフモードからスリープゼロモードへの移行処理を指示し、ステップ２２６へ移行する。
【００７４】
このステップ２２４によるスリープゼロモードへの移行指示による移行処理が完了すると、副電源スイッチ４４をオフしたときと同じ状態となり、ユーザーが副電源スイッチ４４を操作（オン）すると（ステップ２２６）、ステップ２２８へ移行してスタンバイモードへの移行処理を指示し、このルーチンは終了する。
【００７５】
（変形例）
本実施の形態では、副電源スイッチ４４をオフしたときにスリープゼロモードとし、オフタイマ１１０がタイムアップすると、夜間等、画像処理装置１０を一切使用しない環境の下で、物理的に入力電源線２４を分断して、商用電源３１からＬＶＰＳ４２Ａへの電力供給を遮断し（オフモード）、オンタイマ１１２のタイムアップでスリープゼロモードに移行させるようにしたが、副電源スイッチ４４がオン状態のとき、スリープゼロモードに相当する状態に移行させるようにしてもよい。なお、副電源スイッチ４４がオンしている場合は、メインコントローラ１８のプログラム展開が完了しており、この点が、副電源スイッチ４４がオフの場合と異なる。一方、蓄電デバイス９６から電力の供給を受けて、一部（ＡＳＩＣ１８Ｓ）が動作している点では、副電源スイッチ４４がオンであってもオフであっても同一である。
【００７６】
この場合、例えば、画像処理装置１０の節電解除ボタン等を操作してから電力供給を再開したのでは、利便性に欠ける場合がある。
【００７７】
そこで、図６に示される如く、画像処理装置１０に、検出範囲として、相対的に広い領域で前記画像処理装置１０の前方を扇型に網羅して移動体を検出する第１の人感センサ７６（焦電型センサが好ましい）と、相対的に狭い領域で前記画像処理装置１０のＵＩタッチパネル４０に対峙する使用者を検出する第２の人感センサ７８（反射型センサが好ましい）を配置するようにしてもよい。
【００７８】
副電源スイッチ４４がオン状態でスリープゼロモードになると、メインコントローラ１８のＡＳＩＣ１８Ｓと、第１の人感センサ７６とが電力の供給を受け、第１の人感センサ７６の検出領域（図５の範囲Ｆ）に移動体が進入すると、これを第１の人感センサ７６で検出し、第２の人感センサ７８に電力を供給する。
【００７９】
その後、第２の人感センサ７８が、その検出領域（図６の範囲Ｎ）において、ＵＩタッチパネル４０に対峙する使用者を検出することで、メインコントローラ１８の全てに電力を供給し、かつＵＩタッチパネル４０を起動させる（スタンバイモード）。
【００８０】
なお、副電源スイッチ４４がオフのとき、第１の人感センサ７６を起動させておくか否かは、画像処理装置１０の仕様によって設定すればよい。第１の人感センサ７６をオンさせておけば利便性が高まるし、第１の人感センサ７６をオフさせておけば省エネ性が高まる。
【符号の説明】
【００８１】
Ｗ    壁面
１０    画像処理装置
１０Ｔ    記録用紙排出トレイ
１０Ｐ    パネル部
１２    画像形成部
１４    画像読取部
１６    ファクシミリ通信制御回路
１８    メインコントローラ
１８Ａ    電源切替部
１８Ｓ    ＡＳＩＣ
２０    ネットワーク通信回線網
２２    電話回線網
２４    入力電源線
２６    コンセント
２９    ＰＣ
３１    商用電源
３２    配線プレート
３３Ａ〜３３Ｅ    バス
３５Ａ〜３５Ｅ    電力供給線
４０    ＵＩタッチパネル
４０ＢＬ    ＵＩタッチパネル用バックライト部
４１    主電源スイッチ
４２    電源装置
４２Ａ    ＬＶＰＳ
４３    信号ハーネス
４４    副電源スイッチ
５８    ＩＣカードリーダーライター
１００    ＣＰＵ
１０２    メモリ
１０４    ＲＯＭ
１０６    バス
１１０    オフタイマ
１１２    オンタイマ
１１４    第１のスイッチ
１１６    電源駆動回路
１１８    主電源リレースイッチ
１２０    第２のスイッチ
１２０    電源
【図１】
0005929856.tif 000002
【図２】
0005929856.tif 000003
【図３】
0005929856.tif 000004
【図４】
0005929856.tif 000005
【図５】
0005929856.tif 000006
【図６】
0005929856.tif 000007